(57)【要約】【課題】  連続シーンなどを撮影し合成する場合、画像ごとに露出値を変える、又は撮影シーン全ての画像を合成したりするのではなく、一部の画像を選択して合成する、方が効果的である場合がある。また、画像によっては、画像ごとで加える処理を変えることによって、より見栄えのする画像合成を行うことが可能な場合もある。【解決手段】  多重露光撮影モードを備えたカメラで、撮影した画像の中から撮影者が任意で画像を選択し、その画像をカメラのモニタ上で編集、合成することで、画像の補正の結果をその場で確認することで、撮影者の好みに応じた合成画像を提供する。【選択図】  図５
2006253810.tif 000002
【特許請求の範囲】
【請求項１】
被写体像を撮像し、撮像した複数の画像データを表示する第１の表示部と、
前記第１の表示部で表示されている前記撮像した複数の画像データから２つ以上の画像データを選択するために操作される画像選択手段と、
前記画像選択手段で選択された画像データに対して画像処理を行う画像処理手段と、
前記画像処理手段によって画像処理が施された後、前記選択された２つ以上の画像データを合成して表示する第２の表示部と、
を備えることを特徴とする撮像装置。
【請求項２】
前記画像処理手段は、前記選択された画像データに対して明度を補正することを特徴とする請求項１に記載の撮像装置。
【請求項３】
前記選択された画像、及び前記合成画像を複数の記憶媒体に記憶することを特徴とする請求項１に記載の撮像装置。
【請求項４】
前記画像処理手段は、選択された前記２つ以上の画像データに対して個別に異なる画像処理を施すことが可能であることを特徴とする請求項１に記載の撮像装置。
【請求項５】
前記第１の表示部と前記第２の表示部は同一の表示装置に備えられていることを特徴とする請求項１に記載の撮像装置。
【請求項６】
前記画像データの選択と前記画像処理の際に用いる操作部材は撮影動作を行うための部材と共用であることを特徴とする請求項１に記載の撮像装置。
【発明の詳細な説明】
【技術分野】
【０００１】
本発明は、多重露光撮影が可能で撮像後の単画像の露出を可変にし、露出可変後の画像を合成して表示する機能を有するデジタルカメラに関するものである。
【背景技術】
【０００２】
従来のデジタルカメラには一駒の画像に複数の画像を重ね合成画像をえる多重露光モードを有するものがある。このような合成画像をえたい場合にはユーザーにより多重露光モードが選択され撮影が行なわれる。デジタルカメラの多重露光モードにおいては、多重露光撮影後、表示装置の表示画面に多重露光モードにおいて撮影された合成画像を表示させ、ユーザーに合成画像がどのようなものであるかを認識させることが行われている。この表示画面に表示された合成画像が自分の求めていたものである場合にはユーザー操作によりその合成画像が記録メディアに記録される。また表示画面に表示された合成画像が自分の求めていたものとは異なる場合には、ユーザー操作によりその合成画像が廃棄され、再度、多重露光モードでの撮影が行なわれる（特許文献１）。
【０００３】
図９に多重露光を利用した画像合成の様子を示す。図９では、多重露光モードが設定された状態で１回目の撮像動作（ａ）を行い、次に２回目の撮像動作（ｂ）を行い、撮像された（ａ）、（ｂ）の複数の画像データを合成処理し、画像合成手段で合成された画像データを（ｃ）に示すように画像表示部３００に合成表示している。
【特許文献１】特開２０００−５６３５８号公報
【発明の開示】
【発明が解決しようとする課題】
【０００４】
上記に示した特許文献１における発明では、多重露光モードで撮像された複数の画像データをメモリに記憶し、画像合成手段で合成された画像を表示手段に表示するようになっている。
【０００５】
しかしながら、連続シーンなどを撮影し合成する場合、画像ごとに露出値を変える、又は撮影シーン全ての画像を合成したりするのではなく、一部の画像を選択して合成する、方が効果的である場合がある。また、画像によっては、画像ごとで加える処理を変えることによって、より見栄えのする画像合成を行うことが可能な場合もある。
【０００６】
そこで本発明は、多重露光撮影モードを備えたカメラで、撮影したその場で、撮影した画像の中から、撮影者が任意で画像を選択してカメラのモニタ上で選択された画像を編集、合成が可能であり、撮影者の好みに応じた合成画像を獲ることができるカメラを提供することを目的としている。
【課題を解決するための手段】
【０００７】
上記課題を解決し目的を達成する為に本発明の撮像装置は、被写体像を撮像し、撮像した複数の画像データを表示する第１の表示部と、前記第１の表示部で表示されている前記撮像した複数の画像データから２つ以上の画像データを選択するために操作される画像選択手段と、前記画像選択手段で選択された画像データに対して画像処理を行う画像処理手段と、前記画像処理手段によって画像処理が施された後、前記選択された２つ以上の画像データを合成して表示する第２の表示部と、を備えることを特徴とする撮像装置。
【発明の効果】
【０００８】
本発明は、多重露光撮影モードを備えたカメラで、撮影した画像の中から撮影者が任意で画像を選択し、その画像をカメラのモニタ上で編集、合成が可能であり、画像の補正の結果が同時に表示され、撮影者の好みに応じた合成画像を提供することができる。更には、単画像データ及び合成画像データは複数の記録媒体に記録することで、データの整理を容易に行うことができる。
【発明を実施するための最良の形態】
【０００９】
以下、本発明の好適な実施形態について、図面を参照して詳細に説明する。
【００１０】
（第１の実施形態）
図１及び図２は、本発明の実施例を適用した撮像装置を示している。
【００１１】
図１は、本発明の実施例による撮像装置の構成を示す上面図、図２は同撮像装置の構成を示す背面図である。図１及び図２において１はカメラ本体、２はファインダー観察用の接眼窓である。３は自動露出（これよりＡＥという）ロックボタン、４はオートフォーカス（これよりＡＦという）の測距点選択ボタンである。５はカメラ本体１を縦位置に構えた時に使用する縦位置用ＡＥロックボタンで、ＡＥロックボタン３と同一の機能を有する。
【００１２】
同様に６もカメラ本体１を縦位置に構えた時に使用する縦位置用の測距点選択ボタンで、測距点選択ボタン４と同一の機能を有する。７は撮影操作を行うためのレリーズボタンであり、第１ストロークでＳＷ１がＯＮし、第２ストロークでＳＷ２がＯＮする構成となっている。８はメイン電子ダイヤルで、他の操作ボタンと併用して、カメラに数値を入力したり、撮影モードを切り換えたりすることが可能となる。
【００１３】
図１及び図２において、９は撮影モード選択ボタン、１０はＡＦモード選択ボタン、１１は測光モード選択ボタンで、調光補正ボタンも兼ねている。１２は撮影条件等を表示する外部表示機能を備えた液晶表示装置よりなる外部液晶表示装置であり、撮影直後に撮影した画像を一時的に表示し、撮影された画像の確認ができるよう構成されている。尚、表示内容の詳細について図３を用いて後述する。１３は外部液晶表示装置１２の裏面に設置されている不図示のバックライト照明装置をＯＮ／ＯＦＦするための表示パネル照明ボタンである。１４は露出の補正を行うための露出補正ボタンである。なお、本実施例における露出補正とは明るさ即ち明度をデジタル的に変化させることである。１５は不図示のアイピースシャッターを駆動させるための、アイピースシャッターレバーである。このアイピースシャッターレバー１５を時計回り方向に回動させることにより、不図示のアイピースシャッターが接眼窓２を覆い接眼窓からの光の入光を防ぐことができる。１６は視度の調整を行うための、視度補正ダイヤルである。この視度補正ダイヤル１６を回転させることにより、不図示の視度補正レンズが駆動し、視度調整を行うことができる。１７はメイン電子ダイヤル８と同様の機能を備えた、サブ電子ダイヤルである。撮影モード選択ボタン９とメイン電子ダイヤル８によりマニュアルモードが設定された時には、絞り値の入力設定、プログラム（Ｐ）モード・シャッター速度（Ｔｖ）優先モード・絞り値（Ａｖ）優先モードにおいては測光した適正露出に対し、カメラの制御露光量を変更する露出補正量の入力設定を行うものである。また、撮影モード選択ボタン９とメイン電子ダイヤル８により多重露光撮影モードが設定された時には、サブ電子ダイヤル１７を回転させることで多重撮影コマ数を任意に設定が可能である。１８はこのサブ電子ダイヤル１７による入力機能をロックするダイヤルロックスイッチ、１９は本撮像装置の全ての動作を禁止するメインスイッチである。
【００１４】
例えば、撮影モード選択ボタン９を押しながらメイン電子ダイヤル８を回転させると、Ｔｖ優先→Ａｖ優先→マニュアル→プログラム→多重露光撮影の順で撮影モードが変更され、撮影者の意図するモードに設定することができる。また、メイン電子ダイヤル８を逆回転させた時は、多重露光撮影→プログラム→マニュアル→Ａｖ優先→Ｔｖ優先の順でモードは変更される。
【００１５】
また、撮影モード選択ボタン９とメイン電子ダイヤル８によりＴｖ優先がモードとして設定されている場合には、メイン電子ダイヤル８を回転させることにより撮影者の希望するＴｖ値を設定することができる。また、撮影モード選択ボタン９とメイン電子ダイヤル８によりＡｖ優先がモードとして設定されている場合には、メイン電子ダイヤル８を回転させることにより撮影者の希望とするＡｖ値を設定することができる。測光モード選択ボタン１１とＡＦ選択モードボタン１０を同時に押し込んだ状態でメイン電子ダイヤル８を操作すると撮像時の撮像感度を変更することが出来る。測光モード選択ボタン１１と撮影モード選択ボタン９を同時に押し込んだ状態でメイン電子ダイヤル８を操作すると単写、連写、セルフタイマーの何れかからドライブモードを選択することが出来る。撮影モード選択ボタン９とＡＦモード選択ボタン１０を同時に押し込んだ状態でメイン電子ダイヤル８を操作するとＡＥＢ撮影モードのブラケット段数を設定することが出来る。
【００１６】
２０は撮影された画像を表示する際や本撮像装置の設定状態などを表示する外部映像表示装置である。２２はカメラの初期設定を行う際に各種モードを選択するためのＭＥＮＵボタンである。各モードを選択する時は、このＭＥＮＵボタン２２を押しながらサブ電子ダイヤル１７を回転して希望のモードを選択する。希望のモードが選択された時、ＭＥＮＵボタン２２を離すと選択が完了する。２３は撮影モードや画像等を選択する為のＳＥＬＥＣＴボタンである。２４は記録媒体内に記録されている画像ファイルを、外部映像表示装置２０に表示させるためのＤＩＳＰＬＡＹボタンである。なお、本実施例による外部映像表示装置２０は透過型であるため、外部映像表示装置の駆動だけでは、画像を視認することはできず、必ずその裏面には不図示のバックライト照明装置が必要である。外部映像表示装置２０に撮影した画像を再生する場合は、ＤＩＳＰＬＡＹボタン２４を押して、ＳＥＬＥＣＴボタン２３を押しながらサブ電子ダイヤル１７を左右に回転させることで、画像が切り換わる。また、表示形式を変えるにはＤＩＳＰＬＡＹボタン２４を押しながらサブ電子ダイヤル１７を左右に回転させることで、通常の撮影モードの場合には図８に示すように、１コマフル表示（ａ）、４コマインディックス表示（ｂ）、９コマインディックス表示（ｃ）、撮影情報表示（ｄ）が表示可能で、表示形式が決定したらＤＩＳＰＬＡＹボタン２４を離すことで完了する。また、多重露光撮影モードが設定された場合には、図８（ｅ）のように第１の表示部Ｐ（４コマインディックス画像）と第２の表示部Ｑ（合成画像）で画像表示が可能であり、第１の表示部Ｐ（４コマインディックス画像）で露出の変更をおこない、露出変更後の画像を合成して第２の表示部Ｑ（合成画像）に表示する。なお、外部映像表示装置２０における画像の配置は上記に記載した形式に限定されるわけではない。Ｒは撮影コマ番号の表示部であり、Ｓは任意で露出補正可能な露出補正ドットである。
【００１７】
２１は記録画像を間違って消さないようにプロテクトをかけるプロテクトボタンである。撮影画像にプロテクトをかける場合は、１コマずつプロテクトをかける場合と、フォルダ内の全画像にプロテクトをかける方法がある。ここでは１コマずつプロテクトをかける場合について説明する。まず、ＤＩＳＰＬＡＹボタン２４を押して記録画像を再生し、ＳＥＬＥＣＴボタン２３を押しながらサブ電子ダイヤル１７を回転させ、プロテクトをかけたい画像を選択後、ＳＥＬＥＣＴボタン２３を離し、プロテクトボタン２１を押すことでプロテクトが完了する。
【００１８】
各モードを選択する時は、ＭＥＮＵボタン２２を押しながらサブ電子ダイヤル１７を回転して希望のモードを選択する。希望のモードが選択された時、ＭＥＮＵボタン２２を離すと選択が完了する。その後、選択したモードの機能をＯＮ／ＯＦＦするためには、ＳＥＬＥＣＴボタン２３を押しながらサブ電子ダイヤル１７を回転してＯＮ／ＯＦＦのどちらかを選択後、ＳＥＬＥＣＴボタン２３を離すことで選択が完了する。ＤＩＳＰＬＡＹボタン２４を押し記録媒体内に記録されている画像ファイルを呼び出し、ＳＥＬＥＣＴボタン２３を押しながらサブ電子ダイヤル１７を回転させることで、画像ファイルが順次、外部映像表示装置２０に表示され、希望の画像を選択後、ＳＥＬＥＣＴボタン２３を離すことで選択が完了し、外部映像表示装置２０に表示される。２５は記録媒体に記録されている画像ファイルを消去するための消去ボタンで、ＤＩＳＰＬＡＹボタン２４とサブ電子ダイヤル１７にて画像を選択後、消去ボタン２５を押すことで、画像の消去が可能である。２６は撮影した画像ファイルの圧縮率や画像サイズなどを選択する記録画質選択の為のＱＵＡＬＩＴＹボタンで、ＭＥＮＵボタン２２とサブ電子ダイヤル１７とで画質変更モードを選択後、ＱＵＡＬＩＴＹボタン２６とサブ電子ダイヤル１７にて希望の圧縮率や画像サイズを選択し、ＱＵＡＬＩＴＹボタン２６を離すことで選択が完了する。２７は予めカメラ内に記憶されているホワイトバランス調整値を選択するための、ホワイトバランス（これよりＷＢという）選択ボタンである。ＭＥＮＵボタン２２とサブ電子ダイヤル１７とでＷＢ変更モードを選択後、ＷＢ選択ボタン２７とサブ電子ダイヤル１７にて希望のＷＢ調整値を選択し、ＷＢ選択ボタン２７を離すことで選択が完了する。２８はカードスロットカバー開閉つまみで、２９はカードスロットカバーである。このカードスロットカバー開閉つまみ２８を反時計回り方向に回すことで、カードスロットカバー２９が開放され、中に収納されている記録媒体の装着や取り外しを行うことが可能となる。３０はアクセスランプで装着されている記録媒体に撮影した画像ファイルを書き込む時や、記録媒体に書き込まれた画像ファイルを読み出す場合など記録媒体にアクセス中であるときは点滅を行う。３１は本撮像装置のグリップ部内に配置されカード状の記録媒体を装着するためのカードスロット１である。３２はカードスロット１に装着されている記録媒体を取り外すための、カード取り外しボタン１である。また、３３は同様にカード状の記録媒体を装着するためのカードスロット２である。
【００１９】
３４も同様にカード取り外しボタン２である。３６は本撮像装置を駆動させるための電源電池である。３５及び３７の詳細は後述するが、３５は多重露光撮影モードで撮影された画像を任意で選択可能な画像選択ボタンであり、３７は多重露光撮影モードで撮影された画像の露出の重み付けを設定する露出セットボタンである。
【００２０】
次に図３を用いて、外部液晶表示装置１２の表示内容について詳細に説明する。
【００２１】
図３において、１２ａは撮影モードの状態を表示しており、Ｐ（プログラムＡＥ）、Ｍ（マニュアル露出）、ＴＶ（シャッター速度優先ＡＥ）、ＤＥＰ（深度優先ＡＥ）、ＡＶ（絞り優先ＡＥ）、多重露光撮影などに撮影モードを切り換える。
【００２２】
同図においては多重露光撮影モードが選択されている状態を表示している。１２ｂは絞り値を表示し、同図においては絞り５．６が選択された状態を示している。１２ｃはシャッタースピードを表示し、同図においてはシャッター速度１０００が選択された状態を示している。
【００２３】
１２ｄは撮影可能コマ数を表示し、同図においては撮影可能コマ数が１６７コマである状態を示している。１２ｅにはＡＦモードの状態が表示され、同図においてはワンショットＡＦが選択された状態を示している。１２ｆにはドライブモードの状態を表示し、同図においては高速連続撮影が選択された状態を示している。１２ｇは露出補正量をドットにて表示し、１ドット１／３段を表している。１２ｈは電源電池３６の残り容量の目安を表示し、１２ｉは測光モードの状態を表示していて、評価測光、部分測光、スポット測光、中央部重点平均測光などに測光モードを切り換えることが可能である。同図においては評価測光モードが選択されている状態を表示している。１２ｊは多重露光撮影モードの状態で多重露光コマ数が４コマに設定された状態を表示している。
【００２４】
図４は、本実施の形態に係る撮像装置の内部構成を示すブロック図である。
【００２５】
図４において、１５０は撮影レンズ、１２２は撮影レンズ１５０を駆動するレンズ駆動装置、１２３は絞りを駆動するための絞り駆動回路、１２１はメカニカルシャッタ装置である。１００は光電変換機能を有するＣＣＤやＣＭＯＳ等の固体撮像素子、１０１は固体撮像素子１００の出力であるアナログ信号を処理するアナログ信号処理回路、１０２はアナログ信号処理回路１０１で処理されたアナログ信号をデジタル信号に変換するＡ／Ｄ変換器である。１０４はＡ／Ｄ変換器１０２でデジタル信号に変換された信号に対してゲインの調整をするゲイン調整回路、１０５は電圧をずらすためのオフセット回路、１０６はノイズ除去等を行う為のデジタル信号処理回路、１０７はＡ／Ｄ変換器１０２から送られた１画面分のデータから信号レベルに対する撮像素子信号の積算値の分布を示すヒストグラムを生成するヒストグラム生成回路である。１０３はゲイン調整回路１０４、オフセット回路１０５、デジタル信号処理回路１０６、ヒストグラム生成回路１０７からなり、Ａ／Ｄ変換器１０２でデジタル信号に変換された信号をデジタル画像信号として最適な形に処理するメイン信号処理回路である。１０８はメイン信号処理回路１０３で処理されたデジタル画像信号を一時的に記録するためのメモリ、１０９はメイン信号処理回路１０３にて処理されたデジタル画像信号をアナログ信号に変換するＤ／Ａ変換器、１１２はメイン信号処理回路１０３で処理されたデジタル画像信号を圧縮、解凍する圧縮／解凍回路、１１４は圧縮／解凍回路１１２にて処理されたデジタル画像信号を保存するメモリカードＡ、１１６は上記と同様にカード状の記録媒体であるメモリカードＢ，１１７は各種装置、回路を制御するＣＰＵ、１２０はレンズ駆動装置１２２等を制御するコントロール回路である。
【００２６】
１４３はメインスイッチ１９の操作によってＯＮ／ＯＦＦされるメインＳＷであり、本撮像装置における全ての動作の作動、非作動を設定する。１４２は、ダイヤルロックスイッチ１８の操作によってＯＮ／ＯＦＦされるサブ電子ダイヤルＳＷであり、サブ電子ダイヤル１７による入力機能を作動、非作動を設定する。１２６はレリーズボタン７の第１ストロークによりＯＮするＳＷ１である。１２７は、レリーズボタン７の第２ストロークによりＯＮするＳＷ２である。ＳＷ１がＯＮされると測光制御及び合焦制御が行なわれる。そして、ＳＷ２がＯＮされるとレリーズ動作が開始される。１２８はメイン電子ダイヤル８の回転に連動して信号を発生するメイン電子ダイヤルＳＷである。メイン電子ダイヤル８の回転で、例えば９０°位相のずれた２ビットの信号をスイッチセンス回路に送ることにより、回転方向と回転クリック数が検出される。この回転方向と回転クリック数を検出することで、他の操作ボタンと併用して、カメラに数値を入力したり、撮影モードを切り換えたりすることが可能となる。１２９はサブ電子ダイヤル１７の回転に連動して信号を発生するサブ電子ダイヤルＳＷである。サブ電子ダイヤル１７の回転で、例えば９０°位相のずれた２ビットの信号をスイッチセンス回路に送ることにより、回転方向と回転クリック数が検出される。
【００２７】
この回転方向と回転クリック数を検出することで、他の操作ボタン併用して、カメラに数値を入力したり、撮影モードを切り換えたりすることが可能となる。
【００２８】
１４７はＡＥロックボタン３（または縦位置用ＡＥロックボタン５）を押し込むことによってＯＮするＡＥロックＳＷである。１４８は測距点選択ボタン４（または縦位置用測距点選択ボタン６）を押し込むことによってＯＮするＡＦの測距点選択ＳＷである。１４９は撮影条件等を表示する外部表示機能を備えた外部液晶表示装置１２からなる表示手段としての外部表示装置である。１２２は被写体像を結像面に結像させるために撮影レンズ１５０を駆動するためのレンズ駆動装置である。１４５は撮影モード選択ボタン９を押し込むことによってＯＮする撮影モード選択ＳＷ、１４４はＡＦモード選択ボタン１０を押し込むことによってＯＮするＡＦモード選択ＳＷ、１４６は測光モード選択ボタン１１を押し込むことによってＯＮする測光モード選択ＳＷであり、調光補正ボタン／ＳＷも兼ねている。１３９は表示パネル照明ボタン１３を押し込むとＯＮする表示パネル照明ＳＷである。ＳＷがＯＮすると、外部表示装置１４９を裏面から照明し、表示内容が暗闇でも読み取り可能な状態にする。１３８は露出補正ボタン１４を押し込むとＯＮする露出補正ＳＷである。露出補正ＳＷ１３８をＯＮさせた状態でメイン電子ダイヤル８を操作すると露出補正値を設定することが出来る。１３５はカードスロットカバー２９の開閉に応じてＯＮ／ＯＦＦするスロットカバー開閉検出ＳＷである。メモリスロットＡ３１にはメモリカードＡ１１４が着脱自在に取り付けられる。１３６はスロットＡカード検出ＳＷで、メモリスロットＡ３１にメモリカードＡ１１４が装着された時にＯＮする。メモリスロット３３にはメモリカードＢ１１６が着脱自在に取り付けられる。１３７はスロットＢカード検出ＳＷで、メモリスロットＢ３３にメモリカードＢ１１６が装着された時にＯＮする。１５３は画像選択ボタン３５のＯＮによって、多重露光撮影された画像を任意で選択可能なスイッチである。１５４は、露出補正手段である露出セットボタン３７のＯＮによって、多重露光撮影された画像の露出の重み付けを変更可能で、再度押すことで露出の重み付けが決定するスイッチである。ＤＩＳＰＬＡＹボタン２４を押し込み、プロテクトＳＷ１３０をＯＮさせ、記録画像を再生し、ＳＥＬＥＣＴボタン２３を押しながらサブ電子ダイヤル１７を回転させ、プロテクトをかけたい画像を選択後、ＳＥＬＥＣＴボタン２３を離すことでプロテクトが完了する。
【００２９】
１３１は、ＭＥＮＵボタン２２を押し込むとＯＮするメニューＳＷである。ＭＥＮＵボタン２２を押し込み、メニューＳＷ１３１をＯＮさせ、サブ電子ダイヤル１７を操作することで設定項目を選択することが出来る。この時の設定項目の表示は、外部映像表示装置２０にて行なわれる。１３２は、ＳＥＬＥＣＴボタン２３を押し込むとＯＮする選択ＳＷである。ＳＥＬＥＣＴボタン２３を押し込み，選択ＳＷ１３２をＯＮさせ、サブ電子ダイヤル１７を操作することで、ＭＥＮＵボタン２２で選択した設定項目の設定値を変更することができる。この時、設定項目の設定値の表示は、外部映像表示装置２０にて行なわれる。１３３は、ＤＩＳＰＬＡＹボタン２４を押し込むとＯＮするディスプレイＳＷである。ＤＩＳＰＬＡＹボタン２４を押し込み、ディスプレイＳＷ１３３をＯＮさせると、外部映像表示装置２０にメモリカードＡ１１４及びメモリカードＢ１１６に入っている画像を表示する。１３４は、消去ボタン２５を押し込むとＯＮする消去ＳＷである。外部映像表示装置２０に画像が表示されている時に消去ボタン２５を押し込み、消去ＳＷ１３４をＯＮさせると表示されている画像データをメモリカード上から削除することが出来る。また、消去ＳＷ１３４をＯＮさせたままの状態で保持すると、外部画像表示装置２０にメモリカードＡ１１４及びメモリカードＢ１１６に保存された画像データを一括消去するかどうか問い合わせるメニューが表示され、サブ電子ダイヤル１７を操作して、一括消去を選択し、消去ボタン２５を解放し消去ＳＷ１３４をＯＦＦさせると、メモリカード内の画像データを一括消去することが可能となる。
【００３０】
１４０は不図示のＦＥロックボタンを押し込むとＯＮするＦＥロックＳＷである。不図示の外部ストロボが装着されている時にこのＦＥロックＳＷがＯＮするとプリ発光を行い、ストロボ発光時のストロボ発光量、Ｔｖ値、Ａｖ値を決定し記憶する。１４１は不図示の絞込みボタンを押し込むとＯＮする絞込みＳＷである。ＦＥロックＳＷがＯＮすると、その時に選択されている絞り値まで絞り羽根１５１を駆動し、被写界深度の確認を行えるようにする。１２４は測光装置で、不図示のフォーカシングスクリーンに結像された被写体像の輝度を、不図示の光学部材を介して測定するものであり、この測光装置１２４の出力信号に基づいて露光時の露出制御を行うようになっている。１２５は焦点検出装置で、該焦点検出装置１２５の出力信号に基づいて撮影レンズ１５０のレンズ駆動装置１２２を制御し、結像レンズ１５０にて焦点調節を行う。１２１はメカニカルシャッタ装置で、被写体光束の結像面への入射時間を機械的に制御するものである。このメカニカルシャッタ装置１２１は、ファインダー観察時には被写体光束を遮光し且つ撮影時にはレリーズ信号に応じて被写体光束の光路から退避して露光を開始させる先羽根郡と、ファインダー観察時には被写体光束の光路から退避し且つ撮影時には先羽根郡の駆動開始後に所定のタイミングで被写体光束を遮光する後羽根郡とを有するフォーカルプレーンシャッターである。
【００３１】
撮影レンズ１５０を透過してきた被写体光束は、絞り駆動装置１２３によって駆動される絞り羽根群１５１とメカニカルシャッタ装置１２１とでその光量が規制され、固体撮像素子１００上に投影結像される。このとき、コントロール回路１２０は固体撮像素子１００の電荷の蓄積時間を制御する。固体撮像素子１００の受光面に結像された被写体像は、各フォトセンサでの入射光量に応じた量の信号電荷に変換され、撮像出力信号として順次読み出された後、アナログ信号処理回路１０１に供給される。アナログ信号処理回路１０１は、ＣＤＳクランプ回路やゲイン調整回路等を含み、固体撮像素子１００から入力した撮像出力信号（アナログ電気信号）をコントロール回路１２０の制御に基づいて適宜処理する。アナログ信号処理回路１０１から出力された信号は、Ａ／Ｄ変換器１０２によってデジタル信号に変換された後、メイン信号処理回路１０３へ送られる。メイン信号処理回路１０３は、ゲイン調整回路１０４、オフセット回路１０５、ヒストグラム生成回路１０７及びデジタル信号処理回路１０６等からなる。Ａ／Ｄ変換器１０２から出力されたデータは、ゲイン調整回路１０４及びオフセット回路１０５を経由して、ヒストグラム生成回路１０７及びデジタル信号処理回路１０６へ送られる。ヒストグラム生成回路１０７は、Ａ／Ｄ変換器１０２から送られた１画面分のデータから信号レベルに対する撮像素子信号の積算値の分布を示すヒストグラムを作成する。
【００３２】
そして、このヒストグラム演算に基づいてゲイン値やオフセット値が決定され、ＣＰＵ１１７からコントロール回路１２０を介してゲイン及びオフセットが制御される。このように、ゲインとオフセットのコントロールを経由した信号は、デジタル信号処理回路１０６に送られる。デジタル信号処理回路１０６は、輝度（Ｙ）信号生成回路及び色差（Ｃ）信号生成回路を含み、オフセット回路１０５から入力した信号をＹ／Ｃ信号処理する。
【００３３】
次に、デジタル信号処理回路１０６でＹ／Ｃ信号処理された画像データは、メモリ１０８に一時記憶される。このメモリ１０８に記憶された画像データはデコードされた後、Ｄ／Ａ変換器１０９でアナログ信号に変換され、画像表示手段としての液晶モニタ等の外部映像表示装置２０に供給される。こうして、外部映像表示装置２０には、固体撮像素子１００で捉えた映像が表示される。この外部映像表示装置２０には、レリーズボタン７の操作によりＯＮするＳＷ２（１２７）によって発せられる撮影開始信号に基づいて撮影した静止画が表示される。なお、Ｄ／Ａ変換器１０９でアナログ信号に変換された信号は、不図示のビデオ出力端子等から外部映像出力１１１として取り出すことができる。また、撮影開始信号の入力に呼応して取得した本撮像の画像データは、メモリ１０８から圧縮／解凍回路１１２に導かれ、ここで所定の形式（例えば、ＪＰＥＧ）に従って圧縮処理された後、記録媒体としてのメモリカードＡ１１４もしくはメモリカードＢ１１６に記録される。
【００３４】
なお、記録媒体の形態は、スマートメディアやＩＣカード等、種々の形態が可能である。メモリカードＡ１１４もしくはメモリカードＢ１１６に記録された画像データは、ＣＰＵ１１７を介して呼び出しが可能であり、呼び出された画像データは、圧縮／解凍回路１１２で解凍再生処理された後、メモリ１０８、Ｄ／Ａ変換器１０９を介して外部映像表示装置２０に出力され、または、不図示のビデオ信号出力端子等に供給され、他の外部機器に出力可能である。ＣＰＵ１１７は、測光装置１２４、焦点検出装置１２５、コントロール回路１２０、ヒストグラム生成回路１０７、デジタル信号処理回路１０６、メモリ１０８及びメモリカードＡ１１４、メモリカードＢ１１６、各ＳＷと接続されており、所定のアルゴリズムに従って露出値、撮影レンズ１５０の焦点位置等の各種演算を行い、ＡＥ、ＡＦ、オートストロボ、ＡＷＢ等の制御を総括的に管理する。また、ＣＰＵ１１７は、レリーズボタン７やメイン電子ダイヤル８，サブ電子ダイヤル１７，撮影モード選択ボタン９、ＡＦモード選択ボタン１０、測光モード選択ボタン１１等の操作部から入力される各種信号に基づいて該当する回路を制御する。測光装置１２４の出力信号はＣＰＵ１１７に送られ、このＣＰＵ１１７において露光時間を示す露出制御値が算出される。そして、得られた露出制御値は、ＣＰＵ１１７からコントロール回路１２０に送られ、コントロール回路１２０を介して自動露出制御、オートストロボ、ＡＷＢ等の制御が行なわれる。温度センサー１１９はカメラ本体１の温度を測定するセンサーである。ブザー１１８は、主に撮影時の警告などに用いられる音発生手段である。１５２はメモリカードＡ１１４もしくはメモリカードＢ１１６へのアクセス状態を表示するためのＬＥＤ１５２ａ及び１５２ｂであり、２色発光タイプとなっている。これは図２にて示されたアクセスランプ３０に配置されている。コントロール回路１２０は、ＣＰＵ１１７から送られた露出制御値に基づいて固体撮像素子１００の駆動回路を制御し、電子シャッター制御モード時には、固体撮像素子１００の電荷蓄積時間を、また、メカニカルシャッタ制御モード時には、メカニカルシャッタ装置１２１の開閉タイミング等を制御すると共に、露光時に絞り駆動装置１２３を制御する。
【００３５】
次に、図５及び図６に示すフローチャートを用いて、本発明の撮影動作について説明する。
【００３６】
図５は、本発明の撮像装置による通常撮影動作と多重露光撮影動作の概略を示すフローチャートを示し、図６は、多重露光撮影モードで撮影した画像の記録動作の概略を示すフローチャートを示している。
【００３７】
図５において、ステップＳ２００にてカメラ本体１のメインスイッチ１４３がＯＮになり、カメラの電源が入れられる。
【００３８】
ステップＳ２０１においては、撮影モードの選択をおこなう。撮影モード選択ＳＷ１４５の押し込みとメイン電子ダイヤル８の回転により、多重露光撮影モードが選択された場合はステップＳ２１０へ、多重露光撮影モード以外の撮影モードが選択された場合はステップＳ２０２へ進む。
【００３９】
ステップＳ２０２では、ステップＳ２０１にて選択された撮影モードにしたがった撮影条件の設定を行う。例えばプログラムモードが設定された場合には、ファインダーを覗いて被写体にピントを合わせると露出を変えずにシャッタースピードと、絞り値の組み合わせで適正露出が設定される。
【００４０】
ステップＳ２０３では、ステップＳ２０２にて設定された撮影条件を基に撮影処理を行い撮影を終了する。
【００４１】
ステップＳ２０４においては、撮影者が、撮影モード選択ボタン９の押し込みとメイン電子ダイヤル８の回転により多重露光撮影モードを設定し、撮影モード選択ボタン９を押し込んだままの状態でサブ電子ダイヤル１７を時計回り方向に回転させる、こうすることにより多重撮影コマ数を任意に設定可能である。多重露光コマ数として選択できるのは２以上の数であり、駒数の設定が終了するとステップＳ２０５へ進む。多重撮影コマ数の設定は時計回り方向の回転で２→３→４と増え、反時計回り方向の回転で４→３→２とコマ数が減少する。
【００４２】
ステップＳ２０５では、撮影者がレリーズボタン７の第１ストロークを押し下げＳＷ１（１２６）がＯＮになっているかどうか判定する。
【００４３】
ステップＳ２０５にて、ＳＷ１（１２６）がＯＮになっていれば、ステップＳ２０６において、測光装置１２４を動作させて被写体での反射光を取り込み、Ａ／Ｄ変換して測光情報を得る。そして、露光条件（絞り，シャッタースピード、ゲイン）の演算を行う。また、焦点検出モードがＡＦモードかＭＦモードかを判別し、焦点検出装置１２５を用いて焦点検出領域毎のフォーカス情報を算出する。そして、これらの焦点検出結果を基に既存のアルゴリズムでデフォーカス量算出演算を行い、所定領域の焦点検出結果に基づきレンズ駆動量を演算した後に、合焦するようにレンズ駆動装置１２２へレンズ駆動量を通信し、レンズを駆動し合焦させる。
【００４４】
ステップＳ２０５にて、撮影者がＳＷ１（１２６）をＯＮにしない場合はＯＮになるまで待機しつづける。
【００４５】
ステップＳ２０７において、撮影者がＳＷ２（１２７）をＯＮにすると、撮影動作を行うためにステップＳ２０８に進む。
【００４６】
ステップＳ２０７にて、撮影者がＳＷ２（１２７）をＯＮにしない場合はＯＮになるまで待機しつづける。
【００４７】
ステップＳ２０８では、ステップＳ２０４で設定された多重露光コマ数及びステップＳ２０６にて算出された露光条件（絞り，シャッタースピード、ゲイン）にて固体撮像素子１００に露光を行う。ステップＳ２０８にて多重露光コマ数分露光を行えば、ステップＳ２０９へ進み、多重露光コマ数分露光を行っていない場合は設定された多重露光コマ数分被写体を撮影するまで処理を繰り返す。ＳＷ２が押し続けることによって多重露光コマ数分だけ連続して露光を行っても良いし、１コマ取るたびにＳＷ２をＯＦＦにし、再びＳＷ２がＯＮとなるタイミングで露光を行う処理を多重露光コマ数分だけ繰り返させても良い。
【００４８】
ステップＳ２０９においては、固体撮像素子１００に撮像された画像は図８（ｅ）の外部映像表示装置２０の第１の表示部Ｐ（４コマインディックス画像）に静止画として自動再生表示される。尚、多重露光撮影モードが設定されたら、外部映像表示装置２０の表示形式が図８（ｅ）のように自動で変更される。
【００４９】
ステップＳ２１０では、撮像された画像は撮影開始信号の入力に呼応して取得した本撮像の画像データをメモリ１０８から圧縮／解凍回路１１２に導かれ、ここで所定の圧縮方法（例えば、ＪＰＥＧ）に従って圧縮処理された後、第１の記録媒体としてのメモリカードＡ１１４に記録される。
【００５０】
ステップＳ２１１において、ユーザーは撮像された画像を呼び出し、任意で選択する。画像選択ボタン３５を押しながら第１の記録媒体３１内に記録されている画像ファイルを呼び出し、ユーザーがサブ電子ダイヤル１７と画像選択ボタン３５を使用し画像の選択を行う。
【００５１】
ステップＳ２１２において、ユーザーは任意で選択された画像の露出を変更する。露出セットボタン３７を押し込むと露出セットＳＷ１５４がＯＮされ、選択された画像の露出の変更が可能となる。ユーザーは露出セットボタン３７を押し、外部映像表示装置２０の第１の表示部Ｐ（４コマインディックス画像）の選択された画像下部に表示されている露出補正ドットＳ部を見ながら、サブ電子ダイヤル１７を左右に回転させ画像の露出を変更する。選択された画像の露出の変更が終了したら、露出セットボタン３７を再度押すことで１コマの設定が終了する。選択された画像の露出の設定が終了したら、外部映像表示装置２０の第１の表示部Ｐ（４コマインディックス画像）には露出補正後の画像が表示される。
【００５２】
次に、合成したいコマを選択する。ユーザーは画像選択ボタン３５を押しながら第１の記録媒体３１内に記録されている画像ファイルを呼び出し、サブ電子ダイヤル１７を回転させ、合成したい画像を選択し、画像選択ボタン３５を離すことで選択が完了する。そして、露出セットボタン３７を押し、外部映像表示装置２０における第１の表示部Ｐ部の選択された画像下部に表示されている露出補正ドットＳ部を見ながら、サブ電子ダイヤル１７を左右に回転させ画像の露出を変更する。選択された画像の露出の設定が終了したら、露出セットボタン３７を再度押すことで２コマの設定が終了する。３コマ以上選択する場合は前記手順を繰り返す。外部映像表示装置２０の第１の表示部Ｐ（４コマインディックス画像）には露出補正後の画像が表示される。外部映像表示装置２０の第１の表示部Ｐ（４コマインディックス画像）で露出補正後の画像を確認し、ステップＳ２１３で選択され露出が変更された画像を合成する。
【００５３】
画像選択ボタン３５を押すことで画像選択ＳＷ１５３がＯＮされ、選択された複数の画像が合成されて外部映像表示装置２０の第２の表示部Ｑ（合成画像）に表示される。合成表示された画像に対して再度露出の変更を行うときも前記手順を繰り返す。また、合成表示された結果、削除したい画像があった場合には任意の画像を削除することも可能である。
【００５４】
ステップＳ２１４では、ステップＳ２１３にて合成された画像は撮影開始信号の入力に呼応して取得した本撮像の画像データをメモリ１０８から圧縮／解凍回路１１２に導かれ、ここで所定の圧縮方法（例えば、ＪＰＥＧ）に従って圧縮処理された後、第２の記録媒体としてのメモリカードＢ１１６に記録され、多重露光モードにおける撮影を終了する。
【００５５】
次に、図６の多重露光撮影モードで撮像した画像データの記録についてフローチャートにそって説明する。
【００５６】
ステップＳ２３０にて、画像データ記録シーケンスをスタートする。
【００５７】
ステップＳ２３１では、被写体を複数コマ撮像する。
【００５８】
ステップＳ２３２にて、多重露光撮影された画像が外部映像表示装置２０の第１の表示部Ｐ（４コマインディックス画像）に表示される。
【００５９】
ステップＳ２３３にて、外部映像表示装置２０の第１の表示部Ｐ（４コマインディックス画像）に表示された画像は第１の記録媒体に記録される。
【００６０】
一方ステップＳ２３４では、撮像された画像の露出を変えて画像を合成する。
【００６１】
ステップＳ２３５では、合成された画像が外部映像表示装置２０の第２の表示部Ｑに表示される。
【００６２】
ステップＳ２３６では、外部映像表示装置２０の第２の表示部Ｑに表示された画像は第２の記録媒体に記録される。
【００６３】
ここでは、外部映像表示装置２０の第１の表示部Ｐ（４コマインディックス画像）に表示された画像が第１の記録媒体に記録し、外部映像表示装置２０の第２の表示部Ｑに表示された画像は第２の記録媒体に記録するように構成しているが、画像を記録する記録媒体はどちらを使うように構成しても構わないし、同一の記録媒体に記録しても構わない。
【００６４】
次に、図７を参照して画像の露出変更形態について説明する。
【００６５】
図７（ａ）においては、多重露光撮影モードにおいて４コマ連続で撮影された画像であり、外部映像表示装置２０の第１の表示部Ｐ（４コマインディックス画像）には撮像された画像が図中左から並んでいる。
【００６６】
各画像の下部にはＤＳＣ００００１〜ＤＳＣ００００４とファイル番号が表示され、露出補正のため画像を選択すると表示される画像選択枠Ｒが表示してある。更にその下部には露出補正ドットＳが各コマに対応して並んでいる。
【００６７】
（ａ）図においては、撮像された画像ＤＳＣ００００１〜ＤＳＣ００００４の４コマとも画像を合成するために画像選択枠Ｒで囲み選択してある。更にどの撮像コマも露出補正ドットＳは適正（指標０）を示している。ここでは、４コマ画像を選択しているが露出の変更をしない状態で画像を外部映像表示装置２０の第２の表示部Ｑに表示した状態を表している。
【００６８】
図７（ｂ）においても上記と同様に、多重露光撮影モードにおいて４コマ連続で撮影された画像であり、外部映像表示装置２０の第１の表示部Ｐ（４コマインディックス画像）には撮像された画像が図中左から並んでいる。
【００６９】
各画像の下部にはＤＳＣ００００１〜ＤＳＣ００００４とファイル番号が表示され、露出補正のため画像を選択すると表示される画像選択枠Ｒが表示してある。更にその下部には露出補正ドットＳが各コマに対応して並んでいる。
【００７０】
（ｂ）図においては、撮像された画像の４コマのうち画像を合成するためにＤＳＣ００００１とＤＳＣ００００４の２コマが画像選択枠Ｒで囲み選択してある。ＤＳＣ００００１については露出補正がー２段アンダー側に補正してあり、ＤＳＣ００００４については露出補正がー１段アンダー側に補正してある。ここでは、露出補正後の２コマの画像を外部映像表示装置２０の第２の表示部Ｑに合成して表示した状態を表している。
【００７１】
図７（ｃ）においても上記と同様に、多重露光撮影モードにおいて４コマ連続で撮影された画像であり、外部映像表示装置２０の第１の表示部Ｐ（４コマインディックス画像）には撮像された画像が図中左から並んでいる。
【００７２】
各画像の下部にはＤＳＣ００００１〜ＤＳＣ００００４とファイル番号が表示され、露出補正のため画像を選択すると表示される画像選択枠Ｒが表示してある。更にその下部には露出補正ドットＳが各コマに対応して並んでいる。
【００７３】
（ｃ）図においては、撮像された画像ＤＳＣ００００１〜ＤＳＣ００００４の４コマとも画像を合成するために画像選択枠Ｒで囲み選択してある。ＤＳＣ００００１については露出補正が適正（指標０）状態であり、ＤＳＣ００００２ではー１段アンダー側に補正してあり、ＤＳＣ００００３については露出補正がー２段アンダー側に補正してあり、ＤＳＣ００００４．ＪＰＧについては露出補正がー３段アンダー側に補正してある。この露出補正後の４コマの画像を外部映像表示装置２０の第２の表示部Ｑに合成して表示した状態を表している。ここでは、画像をー１段づつアンダー側へ補正して合成したものである。
【００７４】
図７（ｄ）においても上記と同様に、多重露光撮影モードにおいて４コマ連続で撮影された画像であり、外部映像表示装置２０の第１の表示部Ｐ（４コマインディックス画像）には撮像された画像が図中左から並んでいる。
【００７５】
各画像の下部にはＤＳＣ００００１〜ＤＳＣ００００４とファイル番号が表示され、露出補正のため画像を選択すると表示される画像選択枠Ｒが表示してある。更にその下部には露出補正ドットＳが各コマに対応して並んでいる。
【００７６】
（ｄ）図においては、撮像された画像ＤＳＣ００００１〜ＤＳＣ００００４の４コマとも画像を合成するために選択してある（画像選択枠Ｒで囲み表示）。ＤＳＣ００００１．ＪＰＧについては露出補正が適正（指標０）状態であり、ＤＳＣ００００２では＋１段オーバー側に補正してあり、ＤＳＣ００００３については露出補正が＋２段オーバー側に補正してあり、ＤＳＣ００００４については露出補正が＋３段オーバー側に補正してある。この露出補正後の４コマの画像を外部映像表示装置２０の第２の表示部Ｑに合成して表示した状態を表している。ここでは、画像を＋１段づつオーバー側へ補正して合成したものである。
【００７７】
本発明では、多重露光撮影モードにおいて、任意に選択した画像に対して露出を変更し合成表示する構成をとっているが、任意に選択した画像に対して行う処理は露出の変更だけに限定されるわけではなく、画像ごとに、一般的な画像処理（エッジ強調、彩度調整、色相調整、拡大縮小回転処理等）を施し合成表示する構成をとってもよい。
【００７８】
また、撮影モードに関しても、多重露光撮影モード以外、例えばＴＶモード（シャッター速度優先ＡＥ）やＡＶモード（絞り優先ＡＥ）などで撮影した画像を選択し、画像処理を施して合成表示しても構わない。
【００７９】
また、本実施の形態においては表示部Ｐが４コマインディックスであるが、それに限定されるものではなく、撮影した画像を確認できる構成であれば構わない。
【００８０】
なお、本実施の形態においては一眼レフレックスタイプのカメラについて記載しているが、本発明は一眼レフレックスタイプのカメラに限定されるものではなく、撮影レンズ装置がカメラ本体に固定されている構成や、ファインダー観察用の接眼窓がない構成であっても構わない。撮影した画像を画面にて確認できる構成であればよい。
【００８１】
また、本実施の形態に記載の撮像装置の各種操作においても、同様の機能を実施することが可能な操作部材を有しているのであれば、本実施形態の操作方法に限定されるものではない。
【図面の簡単な説明】
【００８２】
【図１】本発明の実施形態における撮像装置の構成を示す上面図である。
【図２】本発明の実施形態における撮像装置の構成を示す背面図である。
【図３】本発明の実施形態における外部液晶表示装置１２の表示内容を示す図である。
【図４】本発明の実施形態における撮像装置の内部構成を示すブロック図である。
【図５】本発明の実施形態における撮像装置の撮影動作の概略を示すフローチャートである。
【図６】図５における画像データ記録シーケンスの概略を示すフローチャートである。
【図７】本発明の実施形態における画像の露出変更形態の表示例を示した図である。
【図８】従来の外部映像表示装置の表示形態（ａ〜ｄ）と本実施の形態に係る外部映像表示装置の表示形態（ｅ）の説明図である。
【図９】従来の撮影画像の合成表示についての説明図である。
【符号の説明】
【００８３】
１  カメラ本体
７  レリーズボタン
８  メイン電子ダイヤル
９  撮影モード選択ボタン
１２  外部液晶表示装置（１２ａ〜１２ｊ）
１７  サブ電子ダイヤル
２０  外部映像表示装置
２２  ＭＥＮＵボタン
２３  ＳＥＬＥＣＴボタン
２４  ＤＩＳＰＬＡＹボタン
３１  カードスロット１
３３  カードスロット２
３５  画像合成ボタン
３７  露出セットボタン
１００  固体撮像素子
１０１  アナログ信号処理回路
１０２  Ａ／Ｄ変換器
１０３  メイン信号処理回路
１０８  メモリ
１０９  Ｄ／Ａ変換器
１１４  メモリカードＡ
１１６  メモリカードＢ
１３６  スロットＡカード検出ＳＷ
１３７  スロットＢカード検出ＳＷ
１３８  露出補正ＳＷ
１４２  サブ電子ダイヤルＳＷ
１４３  メインＳＷ
１４５  撮影モード選択ＳＷ
１５３  画像合成ＳＷ
１５４  露出セットＳＷ
【図１】
2006253810.tif 000003
【図２】
2006253810.tif 000004
【図３】
2006253810.tif 000005
【図４】
2006253810.tif 000006
【図５】
2006253810.tif 000007
【図６】
2006253810.tif 000008
【図７】
2006253810.tif 000009
【図８】
2006253810.tif 000010
【図９】
2006253810.tif 000011